(57)【要約】  画像表示装置（１）は、光源（１４、１５）から照射された光ビームを反射するミラー部を主走査方向及び該主走査方向に交わる副走査方向の各々に駆動して、光走査により画像を表示する画像表示装置である。該画像表示装置は、表示される１フレームの画像の輝度に基づいて、表示される画像に対応する複数の画素データ各々を描画するための期間である画素描画期間に対する光ビームの照射期間が変更されるように、光源を制御する制御手段（１３）を備える。
2014128865.tif 000002
【特許請求の範囲】
【請求項１】
光源から照射された光ビームを反射するミラー部を主走査方向及び前記主走査方向に交わる副走査方向の各々に駆動して、光走査により画像を表示する画像表示装置であって、
前記表示される画像全体の輝度に基づいて、前記表示される画像に対応する複数の画素データ各々を描画するための期間である画素描画期間に対する前記光ビームの照射期間が変更されるように、前記光源を制御する制御手段を備える
ことを特徴とする画像表示装置。
【請求項２】
光源から照射された光ビームを反射するミラー部を主走査方向及び前記主走査方向に交わる副走査方向の各々に駆動して、光走査により画像を表示する画像表示装置であって、
前記表示される画像に対応する複数の画素データのうち一の画素データが最大輝度の１／ｎ（ｎは正の実数）である場合、前記一の画素データを描画するための期間である画素描画期間に対する前記光ビームの照射期間が前記画素描画期間の１／ｎになるように、前記光源を制御する制御手段を備える
ことを特徴とする画像表示装置。
【請求項３】
前記制御手段は、前記一の画素データに対応する前記光ビームの光量のｎ倍の光量で前記光ビームを照射するように前記光源を制御することを特徴とする請求項２に記載の画像表示装置。
【請求項４】
前記制御手段は、前記一の画素データをｎ倍することにより、ｎ倍の光量で前記光ビームを照射するように前記光源を制御することを特徴とする請求項３に記載の画像表示装置。
【請求項５】
前記光源は、
電源と、
前記電源から出力される電流の値を、前記一の画素データに応じた値とするアンプ部と、
を有し、
前記制御手段は、前記アンプ部に係るゲインをｎ倍することにより、ｎ倍の光量で前記光ビームを照射するように前記光源を制御することを特徴とする請求項３に記載の画像表示装置。
【請求項６】
前記制御手段は、前記画素描画期間のうち前記照射期間が開始される時期を、連続する２つのフレーム期間において互いに異ならしめることを特徴とする請求項１に記載の画像表示装置。
【請求項７】
前記制御手段は、前記照射期間に応じて、前記光ビームのスポット径を変更するように前記光源を制御することを特徴とする請求項１又は２に記載の画像表示装置。
【請求項８】
前記光源に供給される駆動電流の値は、前記光源に係る光ビーム量特性の線形領域の範囲内の値であることを特徴とする請求項１又は２に記載の画像表示装置。
【発明の詳細な説明】
【技術分野】
【０００１】
本発明は、例えばレーザ光を反射するミラーを、水平方向及び垂直方向各々に駆動することによって投影画像を描画する画像表示装置の技術分野に関する。
【背景技術】
【０００２】
この種の装置では、描画される１フレームの画像の平均輝度を低減する場合、低減幅に応じて、例えばレーザ光源等の光源の出力を低下させる（即ち、該光源に供給される駆動電流を減少する）ことが多い。しかしながら、レーザ光源の種類によっては、駆動電流が小さくなる程、駆動電流に対する光出力特性（Ｉ−Ｌ特性）の線形性が悪化する可能性がある。すると、例えば時間と共に輝度がわずかに変動する画像を描画する場合、描画された画像における輝度変化が想定よりも大きくなり、描画された画像中の比較的輝度の低い領域ではチラツキが発生する可能性があるという技術的問題点がある。【０００３】
この技術的問題点に対して、例えば音響光学式強度変調器（Ａｃｏｕｓｔｏ  Ｏｐｔｉｃ  Ｍｏｄｕｌａｔｏｒ：ＡＯＭ）を用いて、レーザ光源の出力を低下させることなく光強度を調整する技術が提案されている（特許文献１参照）。
【先行技術文献】
【特許文献】
【０００４】
【特許文献１】特開平６−６１５６２号公報
【発明の概要】
【発明が解決しようとする課題】
【０００５】
しかしながら、上述の特許文献１に記載の技術によれば、光強度を調整するために別途素子を搭載しなければならないので、例えば製造コストが増加したり、構造及び制御処理が複雑になったりする等の技術的問題点がある。【０００６】
本発明は、例えば上記問題点に鑑みてなされたものであり、比較的容易に画像のチラツキを抑制することができる画像表示装置を提供することを課題とする。
【課題を解決するための手段】
【０００７】
上記課題を解決するために、本発明の第１の画像表示装置は、光源から照射された光ビームを反射するミラー部を主走査方向及び前記主走査方向に交わる副走査方向の各々に駆動して、光走査により画像を表示する画像表示装置であって、前記表示される画像全体の輝度に基づいて、前記表示される画像に対応する複数の画素データ各々を描画するための期間である画素描画期間に対する前記光ビームの照射期間が変更されるように、前記光源を制御する制御手段を備える。【０００８】
上記課題を解決するために、本発明の第２の画像表示装置は、光源から照射された光ビームを反射するミラー部を主走査方向及び前記主走査方向に交わる副走査方向の各々に駆動して、光走査により画像を表示する画像表示装置であって、前記表示される画像に対応する複数の画素データのうち一の画素データが最大輝度の１／ｎ（ｎは正の実数）である場合、前記一の画素データを描画するための期間である画素描画期間に対する前記光ビームの照射期間が前記画素描画期間の１／ｎになるように、前記光源を制御する制御手段を備える。【０００９】
本発明の作用及び他の利得は次に説明する実施するための形態から明らかにされる。
【図面の簡単な説明】
【００１０】
【図１】第１実施例に係る画像表示装置の構成を示すブロック図である。
【図２】緑色半導体レーザの光出力特性の一例を示す特性図である。
【図３】第１実施例に係る光走査の一例を示す概念図である。
【図４】第１実施例に係る輝度分布の一例を示す概念図である。
【発明を実施するための形態】
【００１１】
以下、本発明の画像表示装置に係る実施形態について説明する。
【００１２】
＜第１実施形態＞
本発明の画像表示装置に係る第１実施形態について説明する。
【００１３】
第１実施形態に係る画像表示装置は、光源から照射された光ビームを反射する、例えばＭＥＭＳ（Ｍｉｃｒｏ  Ｅｌｅｃｔｒｏ  Ｍｅｃｈａｎｉｃａｌ  Ｓｙｓｔｅｍｓ）ミラー等であるミラー部を主走査方向及び該主走査方向に交わる副走査方向の各々に駆動して、光走査により画像を表示する画像表示装置である。
【００１４】
例えばメモリ、プロセッサ等を備えてなる制御手段は、表示される１フレームの画像（本発明に係る“画像全体”に相当）の輝度に基づいて、該表示される画像に対応する複数の画素データ各々を描画するための期間である画素描画期間に対する光ビームの照射期間が変更されるように、光源を制御する。ここで「１フレームの画像の輝度」とは、画像を代表する輝度を意味する。具体的には例えば、１フレームの画像の平均輝度等が、「１フレームの画像の輝度」に該当する。
【００１５】
１フレームの画像の輝度を低減する場合、上述の背景技術の如く、低減幅に応じて光源の出力を低下させることが多い。すると、光源の光出力特性に起因して、描画された画像中の比較的輝度の低い領域ではチラツキが発生する可能性がある。
【００１６】
しかるに本実施形態では、上述の如く、制御手段により、表示される１フレームの画像の輝度に基づいて、画素描画期間に対する光ビームの照射期間を変更するように光源が制御される。具体的には例えば、１フレームの画像の輝度を１／２に低減する場合、制御手段は、画素描画期間に対する光ビームの照射期間を１／２に変更するように光源を制御する。すると、１画素描画期間について見た場合、照射される光ビームの光量は１／２になるので、光ビームの光量を低下させることなく１フレームの画像の輝度を１／２に低減することができる。
【００１７】
加えて、照射期間を変更すればよいので、別途特殊な素子を搭載する必要もない。従って、本実施形態に係る画像表示装置によれば、比較的容易に画像のチラツキを抑制することができる。
【００１８】
１フレームの画像の輝度を変更するために、画素描画期間に対する光ビームの照射期間を変更する場合、画素描画期間のうち照射期間が開始される時期を、連続する２つのフレーム期間において相互に異ならしめることが望ましい。このように構成すれば、１画素についての輝度の偏りを抑制することができ、実用上非常に有利である。
【００１９】
＜第２実施形態＞
本発明の画像表示装置に係る第２実施形態について説明する。
【００２０】
第２実施形態に係る画像表示装置では、例えばメモリ、プロセッサ等を備えてなる制御手段は、表示される画像に対応する複数の画素データのうち一の画素データが最大輝度の１／ｎ（ｎは正の実数）である場合、該一の画素データを描画するための期間である画素描画期間に対する光ビームの照射期間が画素描画期間の１／ｎになるように、光源を制御する。ここで、「一の画素データ」とは、対応する画素描画期間における輝度、即ち、画素データに係る輝度を意味する。
【００２１】
上述の背景技術では、１フレームの画像の輝度を低減する場合に起こり得る技術的問題について述べたが、同様の光源の光出力特性に起因する技術的問題が、比較的輝度の低い画素を描画する際にも起こる可能性があることが、本願発明者の研究により判明している。
【００２２】
そこで本実施形態では、上述の如く、制御手段により、一の画素データに係る輝度が最大輝度の１／ｎである場合に、該一の画素データを描画するための画素描画期間に対する光ビームの照射期間が画素描画期間の１／ｎになるように、光源が制御される。具体的には例えば、画素データに係る輝度が最大輝度の１／２である場合、制御手段は、画素描画期間に対する光ビームの照射期間を１／２に変更するように光源を制御する。すると、１画素描画期間について見た場合、照射される光ビームの光量は１／２になるので、光ビームの光量を低下させることなく画素の輝度を最大輝度の１／２とすることができる。
【００２３】
従って、本実施形態に係る画像表示装置によれば、比較低輝度の画素を描画することに起因する画像のチラツキを、比較的容易に抑制することができる。
【００２４】
ところで、光源から出力される光ビームの光量は、表示される画像に対応する各画素データに応じて決定されることが多い。そこで、制御手段は、一の画素データに係る輝度が最大輝度の１／ｎである場合、該一の画素データに係る画素描画期間に対する光ビームの照射期間を１／ｎに変更すると共に、該一の画素データに係る輝度に対応する光ビームの光量のｎ倍の光量で光ビームを照射するように光源を制御する。
【００２５】
より具体的には例えば、制御手段が、光ビームの光量を決定するために用いられる画素データに係る輝度をｎ倍することにより、ｎ倍の光量で光ビームが照射されるようにすればよい。或いは、制御手段が、光源に電力を供給する電源と、該光源との間に電気的に接続されたアンプ部に係るゲインをｎ倍することにより、ｎ倍の光量で光ビームが照射されるようにすればよい。
【実施例】
【００２６】
以下、本発明の画像表示装置に係る実施例について、図面に基づいて説明する。【００２７】
＜第１実施例＞
本発明の画像表示装置に係る第１実施例について、図１乃至図４を参照して説明する。【００２８】
（画像表示装置の構成）
先ず、本実施例に係る画像表示装置の構成について、図１を参照して説明する。図１は、第１実施例に係る画像表示装置の構成を示すブロック図である。【００２９】
図１において、画像表示装置１は、偏向器１１、偏向器制御部１２、ビデオプロセッサ１３、電流出力ＤＡＣ（Ｄ／Ａコンバータ）１４、レーザ光源１５及び照度センサ１６を備えて構成されている。【００３０】
偏向器１１は、ＭＥＭＳミラー（以降、適宜“ミラー”と称する）及び該ミラーを駆動する駆動装置を備えて構成されている。偏向器１１の駆動装置は、偏向器制御部１２から出力された水平駆動信号及び垂直駆動信号に応じてミラーを駆動する。より具体的には、駆動装置は、水平駆動信号及び垂直駆動信号に応じて、ミラーの基板上に形成された圧電薄膜に電界をかけることにより該ミラーを駆動する。尚、ミラーの駆動方法には、公知の各種態様を適用可能であるので、その詳細について説明は割愛する。【００３１】
本実施例では、水平駆動信号は正弦波信号であり、垂直駆動信号は鋸歯状波信号である。このため、偏向器１１は、水平方向には共振振動によって正弦波状に駆動され、垂直方向には鋸歯状波状に駆動されることとなる。ミラーが駆動されることによる走査軌跡は、水平方向に係る走査方向が１ライン毎に反転される。この結果、水平駆動信号に係る水平共振周波数が比較的低くとも、比較的高解像度の投影画像を得ることができる。尚、「投影画像」とは、光走査範囲において垂直ブランキング期間を除く期間に表示される画像である。【００３２】
ビデオプロセッサ１３には、表示される画像に対応する複数の画素データ（以降、適宜“入力画素データ”と称する）が入力される。また、ビデオプロセッサ１３には、照度センサ１６により検出された照度を示す照度信号が入力される。ビデオプロセッサ１３は、入力された複数の画素データ及び照度信号に基づいて、電流出力ＤＡＣ１４に対し出力する画素データ（以降、適宜“出力画素データ”と称する）を生成する。【００３３】
電流出力ＤＡＣ１４は、出力画素データに比例した駆動電流をレーザ光源２５に供給する。この結果、出力画素データに対応した光量を有するレーザ光が、レーザ光源２５からミラーに対して照射される。尚、電流出力ＤＡＣ１４は、レーザ光源１５に駆動電流を供給する電源と、該電源から出力された駆動電流を増幅するアンプ部とを備えて構成されている。【００３４】
ここで特に、ビデオプロセッサ１３は、照度信号により示される照度に基づいて、表示される１フレームの画像の平均輝度を変更する。１フレームの画像の平均輝度の変更は、具体的には例えば、照度が所定閾値より低くなったことを条件に、１フレームの画像の平均輝度が所定輝度まで低下されることにより実現されてよい。【００３５】
このように、照度に基づいて表示される１フレームの画像の平均輝度が変更されることにより、例えば、当該画像表示装置１が設置された場所に適した輝度の画像を表示することができ、実用上非常に有利である。【００３６】
本実施例では、レーザ光源１５に供給される駆動電流の値は、レーザ光源１５に係る光出力特性の線形性が維持されている領域（即ち、線形領域）の範囲内の値である。【００３７】
（レーザ光源の制御方法）
次に、レーザ光源１５の制御方法について説明を加える。【００３８】
表示される１フレームの画像の平均輝度を、入力画素データに対応する平均輝度より低くする場合、従来技術では、入力画素データを、低減幅に応じて低減して出力画素データを生成することが多い。上述の如く、電流出力ＤＡＣ１４からは、出力画素データに比例した駆動電流が出力されるので、レーザ光源１５には、入力画素データに相当する電流よりも小さい電流が供給され、表示される１フレームの画像の平均輝度を低減させることができる。【００３９】
しかしながら、レーザ光源の種類によっては、光出力特性が線形ではなく、駆動電流が小さくなる程、線形性が悪化するおそれがある。具体的には例えば、緑色半導体レーザの中には、図２に示すような光出力特性を有しているものがある。図２からわかるように、緑色半導体レーザは、駆動電流が最大値の１／４以下になると、線形性が顕著に悪化している。尚、図２では、理想値（即ち、光出力特性が線形であると仮定した場合の値）に対する実測値の比を描画している。【００４０】
すると、上記従来技術では、例えば時間と共に輝度がわずかに変動する画像を表示する場合、表示された画像における輝度変化が想定よりも大きくなり、表示された画像中の比較的輝度の低い領域ではチラツキが発生する可能性がある。【００４１】
しかるに本実施例では、表示される１フレームの画像の平均輝度を低減する場合、低減幅に応じて、一の出力画素データを描画するための期間であるピクセル期間に対するレーザ光の照射期間を低減している。【００４２】
具体的には例えば、表示される１フレームの画像の平均輝度を、入力画素データに対応する平均輝度の１／２にする場合、ビデオプロセッサ１３は、一の入力画素データに対応する一のピクセル期間の開始時から該一のピクセル期間の１／２の期間経過するまでの間、該一の入力画素データをそのまま出力画素データとして出力する。そして、ビデオプロセッサ１３は、該一のピクセル期間の１／２の期間経過した後該一のピクセル期間の終了時までの間、ゼロデータ（即ち、輝度＝“０”）を出力画素データとして出力する。【００４３】
すると、上記一のピクセル期間の開始時から該一のピクセル期間の１／２の期間経過するまでの間は、レーザ光源１５からレーザ光が出射され、該一のピクセル期間の１／２の期間経過した後該一のピクセル期間の終了時までの間は、レーザ光が出射されない（即ち、消灯される）こととなる（図３参照）。このため、一のピクセル期間の平均輝度は、対応する一の入力画素データの１／２となる。この結果、本実施例に係る画像表示装置１によれば、表示される１フレームの画像の平均輝度を低減する場合であっても、表示される画像のチラツキを抑制することができる。【００４４】
本実施例では更に、ピクセル期間に対するレーザ光の照射期間が変更される場合、照射されるレーザ光のビームスポットの水平方向の径が、レーザ光の照射期間に応じて変更される（図３参照）。このように構成すれば、隣接するピクセルとの重なりが低減され、表示される画像の解像度を向上することができる。【００４５】
ところで、表示される１フレームの画像の平均輝度を低減する場合に、毎回同じタイミングで、レーザ光の点灯と消灯とを繰り返すと、レーザ光の出力強度分布に偏りが生じ表示された画像に濃淡の縦筋を発生してしまう。【００４６】
そこで、ビデオプロセッサ１３は、例えば図４に示すように、連続する２つのフレーム期間において、ピクセル期間のうちレーザ光の照射が開始される時期を互いに異ならしめている。このように構成すれば、連続する２つのフレーム期間において輝度分布を平均化することができる。【００４７】
本実施例に係る「ビデオプロセッサ１３」及び「ピクセル期間」は、夫々、本発明に係る「制御手段」及び「画素描画期間」の一例である。本実施例に係る「電流出力ＤＡＣ１４」及び「レーザ光源１５」は、本発明に係る「光源」の一例である。【００４８】
＜第２実施例＞
本発明の画像表示装置に係る第２実施例について説明する。第２実施例では、ビデオプロセッサ１３が実施する処理が異なる以外は、第１実施例の構成と同様である。よって、第２実施例について、第１実施例と重複する説明を省略し、基本的に異なる点についてのみ説明する。【００４９】
（レーザ光源の制御方法）
本実施例では、ビデオプロセッサ１３は、一の入力画素データが最大輝度の１／ｎ（ｎは正の実数）である場合、ピクセル期間に対するレーザ光の照射期間を１／ｎに変更すると共に、該一の入力画素データに対応する光量のｎ倍の光量のレーザ光が照射されるように電流出力ＤＡＣ１４を制御する。【００５０】
ここで、該一の入力画素データに対応する光量のｎ倍の光量のレーザ光が照射されるように電流出力ＤＡＣ１４を制御する方法としては、例えば、一の入力画素データをｎ倍した画素データを出力画素データとして、電流出力ＤＡＣ１４に出力すればよい。或いは、電流出力ＤＡＣ１４が備えるアンプ部に係るゲインをｎ倍すればよい。【００５１】
具体的には例えば、一の入力画素データが最大輝度の１／２である場合、ビデオプロセッサ１３は、一の入力画素データに対応する一のピクセル期間の開始時から該一のピクセル期間の１／２の期間経過するまでの間、該一の入力画素データの２倍の輝度を有する画素データを出力データとして出力する。そして、ビデオプロセッサ１３は、該一のピクセル期間の１／２の期間経過した後該一のピクセル期間の終了時までの間、ゼロデータを出力画素データとして出力する。【００５２】
すると、上記一のピクセル期間の開始時から該一のピクセル期間の１／２の期間経過するまでの間は、レーザ光源１５から、入力画素データに対応する光量の２倍の光量のレーザ光が出射され、該一のピクセル期間の１／２の期間経過した後該一のピクセル期間の終了時までの間は、レーザ光が出射されない（即ち、消灯される）こととなる。このため、一のピクセル期間の平均輝度は、対応する一の入力画素データと等しくなる。【００５３】
このように構成すれば、比較的輝度の低い入力画素データを描画する際に、駆動電流の低下を抑制することができる。つまり、レーザ光源１５の光出力特性の非線形性が顕著になる低駆動電流領域を避けることができる。言い換えれば、レーザ光源１５の光出力特性の線形性が良好な駆動電流領域において、該レーザ光源１５を駆動することができる。【００５４】
本発明は、上述した実施形態に限られるものではなく、請求の範囲及び明細書全体から読み取れる発明の要旨或いは思想に反しない範囲で適宜変更可能であり、そのような変更を伴う画像表示装置もまた本発明の技術的範囲に含まれるものである。
【符号の説明】
【００５５】
１…画像表示装置、１１…偏向器、１２…偏向器制御部、１３…ビデオプロセッサ、１４…電流出力ＤＡＣ、１５…レーザ光源、１６…照度センサ
【図１】
2014128865.tif 000003
【図２】
2014128865.tif 000004
【図３】
2014128865.tif 000005
【図４】
2014128865.tif 000006
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
光源から照射された光ビームを反射するミラー部を主走査方向及び前記主走査方向に交わる副走査方向の各々に駆動して、光走査により画像を表示する画像表示装置であって、
前記表示される画像に対応する複数の画素データのうち一の画素データに係る輝度に応じて、前記一の画素データを描画するための期間である画素描画期間に対する前記光ビームの照射期間を短縮すると共に、前記一の画素データに対応する画素の輝度を、前記一の画素データに係る輝度と等しくするために前記光ビームの光量を増加するように、前記光源を制御する制御手段を備える
ことを特徴とする画像表示装置。
【請求項２】
前記制御手段は、前記一の画素データに係る輝度が最大輝度の１／ｎ（ｎは正の実数）である場合、前記画素描画期間に対する前記光ビームの照射時間が前記画素描画期間の１／ｎにすると共に、前記一の画素データに対応する前記光ビームの光量のｎ倍の光量で前記光ビームを照射するように前記光源を制御することを特徴とする請求項１に記載の画像表示装置。
【請求項３】
前記制御手段は、前記一の画素データをｎ倍することにより、ｎ倍の光量で前記光ビームを照射するように前記光源を制御することを特徴とする請求項２に記載の画像表示装置。
【請求項４】
前記光源は、
電源と、
前記電源から出力される電流の値を、前記一の画素データに応じた値とするアンプ部と、
を有し、
前記制御手段は、前記アンプ部に係るゲインをｎ倍することにより、ｎ倍の光量で前記光ビームを照射するように前記光源を制御することを特徴とする請求項２に記載の画像表示装置。
【請求項５】
前記制御手段は、前記画素描画期間のうち前記照射期間が開始される時期を、連続する２つのフレーム期間において互いに異ならしめることを特徴とする請求項１乃至４のいずれか一項に記載の画像表示装置。
【請求項６】
前記制御手段は、前記照射期間に応じて、前記光ビームのスポット径を変更するように前記光源を制御することを特徴とする請求項１乃至５のいずれか一項に記載の画像表示装置。
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
光源から照射された光ビームを反射するミラー部を主走査方向及び前記主走査方向に交わる副走査方向の各々に駆動して、光走査により画像を表示する画像表示装置であって、
前記表示される画像に対応する複数の画素データのうち一の画素データに係る輝度が最大輝度の１／ｎ（ｎは正の実数）である場合、前記一の画素データを描画するための期間である画素描画期間に対する前記光ビームの照射期間を前記画素描画期間の１／ｎにすると共に、前記画素描画期間の１／ｎにされた照射時間における前記一の画素データに対応する前記光ビームの光量のｎ倍の光量で前記光ビームを照射するように前記光源を制御する制御手段を備える
ことを特徴とする画像表示装置。
【請求項２】
前記制御手段は、前記一の画素データの輝度をｎ倍することにより、ｎ倍の光量で前記光ビームを照射するように前記光源を制御することを特徴とする請求項１に記載の画像表示装置。
【請求項３】
前記光源は、
電源と、
前記電源から出力される電流の値を、前記一の画素データに応じた値とするアンプ部と、
を有し、
前記制御手段は、前記アンプ部に係るゲインをｎ倍することにより、ｎ倍の光量で前記光ビームを照射するように前記光源を制御することを特徴とする請求項１に記載の画像表示装置。
【請求項４】
前記制御手段は、前記画素描画期間のうち前記照射期間が開始される時期を、連続する２つのフレーム期間において互いに異ならしめることを特徴とする請求項１乃至３のいずれか一項に記載の画像表示装置。
【請求項５】
前記制御手段は、前記照射期間に応じて、前記光ビームのスポット径を変更するように前記光源を制御することを特徴とする請求項１乃至４のいずれか一項に記載の画像表示装置。
【手続補正２】
【補正対象書類名】明細書
【補正対象項目名】０００７
【補正方法】変更
【補正の内容】
【０００７】
上記課題を解決するために、本発明の画像表示装置は、光源から照射された光ビームを反射するミラー部を主走査方向及び前記主走査方向に交わる副走査方向の各々に駆動して、光走査により画像を表示する画像表示装置であって、前記表示される画像に対応する複数の画素データのうち一の画素データに係る輝度が最大輝度の１／ｎ（ｎは正の実数）である場合、前記一の画素データを描画するための期間である画素描画期間に対する前記光ビームの照射期間を前記画素描画期間の１／ｎにすると共に、前記画素描画期間の１／ｎにされた照射期間における前記一の画素データに対応する前記光ビームの光量のｎ倍の光量で前記光ビームを照射するように前記光源を制御する制御手段を備える。
【手続補正３】
【補正対象書類名】明細書
【補正対象項目名】０００８
【補正方法】削除
【補正の内容】
【国際調査報告】
2014128865.tif 000007
2014128865.tif 000008
2014128865.tif 000009
2014128865.tif 000010